(57)【要約】【課題】  実質的に視覚的に見えないように周囲環境内に容易に融合し得る改善されたラウドスピーカー・システムを提供すること。【解決手段】  高周波音響エネルギーを放射するための幅狭開口又はスロットを具備するエンクロージャーを備えるラウドスピーカー・システム。ラウドスピーカー・システムは、カバー部材とリスニング空間の境界との間のスロットを画成するカバー部材を有する。ラウドスピーカー・システムは、音響エネルギー、幅狭開口及び境界の相互作用に起因する周波数応答偏差を修正するために固定又は適応性のあるイコライザーも含み得る。【選択図】  図１Ａ
2004304810.tif 000002
【特許請求の範囲】
【請求項１】
リスニング空間の境界に取り付けるためのラウドスピーカー・システムであって、
可聴信号に対応する音響エネルギーを放射するための第１音響ドライバーであって、前記境界の空洞に取り付けるべく構成され且つ配置され、前記空洞は前記境界の開口によって画成され、前記音響エネルギーが周波数応答パターンを有する、前記ドライバー；と
端縁を具備する実質的に平坦で、音響的不透明カバー部材であって、前記音響ドライバーと前記リスニング空間との間に位置づけられ、かつ前記カバー部材の平面が前記境界に実質的に平行であるように更に位置づけられる、前記音響的不透明カバー部材；と、を備え、
前記カバー部材は、該カバー部材と前記境界との間にスロットを画成し、前記スロットは前記音響的ドライバーと前記リスニング空間を音響的に結合するラウドスピーカー・システム。
【請求項２】
前記音響ドライバーを包囲するための音響エンクロージャーを備え、前記音響エンクロージャーは、前記カバー部材と機械的に結合しかつ前記空洞に取り付けられるように形状構成される、請求項１に記載のラウドスピーカー・システム。
【請求項３】
前記エンクロージャーから前記カバー部材を分離するために、機械式絶縁体を備える、請求項２に記載のラウドスピーカー・システム。
【請求項４】
前記カバー部材の領域は、前記境界開口の領域よりも大きい、請求項２に記載のラウドスピーカー・システム。
【請求項５】
前記エンクロージャーは前記音響ドライバーを取り付けかつ第１音響ボリューム及び第２音響ボリュームのを画定するためのバッフルを備える、請求項２に記載のラウドスピーカー・システム。
【請求項６】
前記第１音響ボリュームと、前記第２音響ボリュームおよび前記リスニング空間の１つと、を音響的に結合するための音響ポートを更に備える、請求項５に記載のラウドスピーカー・システム。
【請求項７】
前記カバー部材は前記スロットを画成すべく前記境界に結合すべく構成且つ配置される、請求項１に記載のラウドスピーカー・システム。
【請求項８】
壁掛けが前記カバー部材を備える、請求項１に記載のラウドスピーカー・システム。
【請求項９】
前記カバー部材はユーザー選択可能であり、これにより、前記ラウドスピーカーが製造される時に、前記カバー部材の寸法は未知である、請求項８に記載のラウドスピーカー・システム。
【請求項１０】
前記境界は覆いを具備し、前記カバー部材は前記覆いによって構成且つ配置される、請求項１に記載のラウドスピーカー・システム。
【請求項１１】
前記覆いは、ペイント、ウッド・ステイン及び壁紙から成る群の１つである、請求項１０に記載のラウドスピーカー・システム。
【請求項１２】
前記開口の幅は１インチより小さい、請求項１に記載のラウドスピーカー・システム。
【請求項１３】
前記空洞は、前記境界によってかつ前記境界を支持する部材によって画成される、請求項１に記載のラウドスピーカー・システム。
【請求項１４】
前記音響エネルギーが、該音響エネルギーの周波数応答パターンを変調するために、前記境界及び前記開口を相互作用して変調された周波数応答パターンを与える、請求項１に記載のラウドスピーカー・システムにおいて、
変調された前記周波数応答パターンが所望の周波数応答ターンと一致するように前記音響信号を変調すべく等化パターンを加える等化器を備えるラウドスピーカー・システム。
【請求項１５】
前記等化器が、前記変調周波数応答パターンを測定する回路、前記等化パターンを与えるための等化計算回路、及び前記等化回路を働かせるための信号処理回路を備える、請求項１４に記載のラウドスピーカー・システム。
【請求項１６】
第２音響ドライバーを更に備える、請求項１に記載のラウドスピーカー・システム。
【請求項１７】
前記第１及び第２音響ドライバーは運動軸線を備え、前記運動軸線の少なくとも１つは非直角で前記カバー部材に交差する、請求項１に記載のラウドスピーカー・システム。
【請求項１８】
前記カバー部材は不規則に形成される、請求項１に記載のラウドスピーカー・システム。
【請求項１９】
前記音響ドライバーから前記開口までの音響経路を変更するために、前記カバー部材から前記音響ドライバーに向かって延在する突起を更に備える、請求項１に記載のラウドスピーカー・システム。
【請求項２０】
一列に配置された複数の音響のドライバーを更に備え、前記開口は前記一列と平行な方向に引き延ばされる、請求項１に記載のラウドスピーカー・システム。
【請求項２１】
前記スロットは前記カバー部材の周辺の一部に沿って延在する、請求項１に記載のラウドスピーカー・システム。
【請求項２２】
前記スロットは前記カバー部材の実質的に全周囲に沿って延在する、請求項１に記載のラウドスピーカー・システム。
【請求項２３】
前記カバー部材は複数の開口を画成する、請求項１に記載のラウドスピーカー・システム。
【請求項２４】
ラウドスピーカー・システムであって、
周波数応答パターンを有する高周波音響エネルギーを放射する音響ドライバー；と、
前記音響ドライバーを包囲し、前記音響ドライバーと前記リスニング空間を音響的に結合する開口を具備し、前記開口は１インチより小さい幅を有し、前記開口は前記音響ドライバーとリスニング空間を音響的に結合し、前記音響エネルギーが、該音響エネルギーの周波数応答パターンを変更するために、前記境界及び前記開口と相互作用して変更された周波数応答パターンを与える、エンクロージャー；と、
変調された前記周波数応答パターンが所望の周波数応答パターンと一致するように前記音響信号を変調すべく等化パターンを加える等化器；とを備えるラウドスピーカー・システム。
【請求項２５】
前記等化器は等化パターンを与えるための等化計算回路類を備える、請求項２４に記載のラウドスピーカー・システム。
【請求項２６】
前記エンクロージャーは、該エンクロージャーの内部に面する実質的に平らな表面を有するカバー部材を更に備え、前記平らな表面は前記幅狭な開口を画成すべく構成且つ配置され、前記開口は前記音響エネルギーが前記部屋内に放射するように音響経路を画定し、前記経路は、前記平らな表面に実質的に平行である、請求項２４に記載のラウドスピーカー・システム。
【請求項２７】
前記等化器が、前記変調周波数応答パターンを測定する回路、前記等化パターンを与えるための等化計算回路、及び前記等化回路を働かせるための信号処理回路を備える、請求項２６に記載のラウドスピーカー・システム。
【請求項２８】
前記エンクロージャーは、壁又は部屋の空洞に取付可能にするように構成される、請求項２４に記載のラウドスピーカー・システム。
【請求項２９】
前記カバー部材は不規則に形成される、請求項２４に記載のラウドスピーカー・システム。
【請求項３０】
前記音響ドライバーから前記開口までの音響経路を変更するために、前記エンクロージャーから前記音響ドライバーに向かって延在する突起を更に備える、請求項２４に記載のラウドスピーカー・システム。
【請求項３１】
一列に配置された複数の音響のドライバーを更に備え、前記開口は前記一列と平行な方向に引き延ばされる、請求項２４に記載のラウドスピーカー・システム。
【請求項３２】
前記カバー部材は複数の開口を備える、請求項２４に記載のラウドスピーカー・システム。
【発明の詳細な説明】
【技術分野】
【０００１】
本発明は、壁取付可能なラウドスピーカー・システム、及びより詳細には、音響エネルギーが放射し得る幅狭開口を具備する高周波ラウドスピーカー・システムに関する。
【発明の開示】
【発明が解決しようとする課題】
【０００２】
本発明の重要な目的は、実質的に視覚的に見えないように周囲環境内に容易に融合し得る改善されたラウドスピーカー・システムを提供することである。
【課題を解決するための手段】
【０００３】
本発明によれば、リスニング空間の境界に取り付けるためのラウドスピーカー・システムは、可聴信号に対応する音響エネルギーを放射するための第１音響のドライバーを含む。ラウドスピーカー・システムは、境界の開口によって規定された境界の空洞に取り付けられるように構成され且つ配置される。音響エネルギーは周波数応答パターンを有する。実質的に平らな聴覚上不透明なカバー部材は端縁を有しておりかつ、音響ドライバーとリスニング空間との間に位置づけられる。カバー部材の平面が境界と実質的に平行であるように、カバー部材は位置づけられる。カバー部材は、該カバー部材と境界との間にスロットを画定する。スロットは音響ドライバーとリスニング空間を聴覚上連結する。
【０００４】
本発明の別の態様では、ラウドスピーカー・システムは周波数応答パターンを有する高周波音響エネルギーを放射するための音響ドライバーを含む。ラウドスピーカー・システムは、音響ドライバーを包囲するためのエンクロージャーも含む。エンクロージャーは、音響ドライバーとリスニング空間を聴覚上連結する開口を含む。開口は長さ及び１インチ未満の幅を有する。開口は音響ドライバーとリスニング空間を聴覚上連結する。音響エネルギーは変更された周波数応答パターンを提供すべく音響エネルギーの周波数応答パターンを変更するために境界及び開口と相互作用する。ラウドスピーカー・システムは、変更された周波数応答パターンが所望の周波数応答パターンと一致するように可聴信号を変更すべく等化パターンを加えるためのイコライザーを更に含む。
【０００５】
他の特徴、目的及び利点は添付図面に関して以下の詳細な説明を読めば明らかとなる。
【発明を実施するための最良の形態】
【０００６】
ここで図面、より詳細には図１Ａ、図１Ｂ及び図１Ｃを参照すると、本発明によるラウドスピーカー・システム１０の、単純化された頂部断面図、及び単純化された正面図がそれぞれ示されている。ラウドスピーカー・システム１０は、エンクロージャー１４に取り付けられた音響ドライバー１２を含む。カバー部材１６は、これを通じて音響ドライバー１２からの音響エネルギーがリスニング空間に放射し得る、カバー部材１６とエンクロージャー１４との間の幅狭間隙１８又はスロットを形成するように取り付けられる。カバー部材１６には、オプションの圧電ラジエーター２０を取り付け得る。エンクロージャー１４は、該エンクロージャー１４の端縁から直角に延在するフランジ部分２２を含む。カバー部材１６は、ファスナー（図示せず）によってエンクロージャー１４に機械的に連結され、幅狭間隙１８を画成するために隆起部（図示せず）によってエンクロージャー１４から間隔を隔てられている。幾つかの付加部材、すなわちカバー部材１６の振動すなわち「バジング」を軽減するために取られる手段を含み得る。付加的な要素及び取られる手段は、隆起部とカバー部材との間に配置されたコンプライアント・パッド、あるいはエンクロージャー又は幾つかの他の周囲構造体にカバー部材を取り付けることを含み得る。リスニング空間は家の部屋であり得るが、家の部屋に限定されない。リスニング領域は、商業ビル、戸外、自動車のキャビン、ボート、飛行機又は幾つかの他の車両、あるいは幾つかの他のキスニング領域であり得た。単純化のために、本発明が部屋に設置されるとして説明する。
【０００７】
エンクロージャー１４が境界面の開口によって画成された空洞にありかつカバー部材１６が境界面に実質的に平行であるように、ラウドスピーカー・システム１０は、壁、天井、又は部屋の床のようなリスニング空間境界、あるいは車両キャビンに取り付け得る。図１Ｃから最も容易に分かるように、カバー部材はエンクロージャー１４が取り付けられる空洞を画成する境界の穴より大きな横断面積を有する。カバー部材１６がエンクロージャー１４を不明瞭にするように該カバー部材は境界に十分に接近している。フランジ部分２２は、存在する場合、化粧ボードの断面のような構造部材の穴の端縁と噛合し得る。エンクロージャー１４及びカバー部材１６は、幅狭間隙１８がカバー部材１６の周辺周りの経路の部分又は経路の全てまで延在し得るように構成且つ配置し得る。幅狭間隙は、０．３インチ（０．７６ｃｍ）の範囲にあり得る。
【０００８】
音響ドライバー１２及び圧電ラジエーター２０は、慣用のものでありかつ図示しない可聴信号源に通信するように連結し得る。カバー部材１６がラウドスピーカー・システムの作動部分になるように、圧電ラジエーター２０はカバー部材１６の一部又は全てを励起し得る。圧電ラジエーターの特性及び配置は音響学的考察に基づき得る。エンクロージャー１４の材料、寸法及び外形は音響学的考察に基づき得る。エンクロージャー１４は、随意のポート５２に音響的に連結し得る、正面のボリューム２８及び後部ボリューム２６を含み得る。カバー部材１６は、ペンキ又は壁紙のような慣用の壁覆いにより、あるいは慣用の床又は天井覆いにより覆われる材料から構成し得る。
【０００９】
図１Ａ〜図１Ｃの実施形態によるラウドスピーカー・システムは有益である。何故なら、それは、部屋内部表面に取り付け得るものでありかつ周囲の表面と同じ材料で覆い得るかためである。ラウドスピーカー・システムは、これにより、実質的に視覚的に見えないようになり得る。
【００１０】
ここで、図２Ａ〜図２Ｄを参照すると、エンクロージャー１４の幾つかの別様な実施形態が示されている。図２Ａの実施形態では、図１Ａ〜図１Ｃの後部ボリューム２６が存在しない。図２Ｂの実施形態では、図１Ａ〜図１Ｃの後部ボリュームが存在しない。図２Ｃの実施形態では、後部ボリューム２６及び前部ボリューム（正面の）２８の両方が存在しない。図２Ｄでは、壁の内部は、エンクロージャー１４として働く。音響ドライバー１２は、壁に取り付け得るバッフル２１に取り付け得る。あるいは、音響ドライバー１２は壁に直に取り付け得る。壁の空間は、他の実施形態の後部ボリューム２６として働く。図２Ｅの別の実施形態では、エンクロージャー１４の側面は開口の近くで外向きに彎曲しており、他の実施形態に存在する直角な角隅部を削除している。圧電ラジエーター２０は、これらの別の実施形態にもあり得るがこれらの視図には示されていない。
【００１１】
図３Ａ〜図３Ｄを参照すると、前述の図面のカバー部材の別の実施形態が示されている。図３Ａの実施形態では、カバー部材１６はエンクロージャー１４に密封連結し得るものでありかつ図１Ａ〜図１Ｃまでの幅狭間隙はカバー部材１６の幅狭開口３０と交換し得る。図３Ａ及び図３Ｃの幅狭開口３０は、細長い矩形形状をしている。図３Ｂのカバー部材１６の表面の幅狭開口３０は、境界の近くのカバー部材１６の周りに延在する。幅狭開口は一定又は可変幅とし得る。また、幅狭開口は同一直線上又は非同一直線上に延在し得るものであり、かつ約０．３インチ（０．７６ｃｍ）から約１インチ（２．５４ｃｍ）までの幅を有する。幅狭開口は、前記音響ドライバーからスロットまでの経路がカバー部材に直角であるように配置する必要はない。音響ドライバーから幅狭開口までの経路が直角でないラウドスピーカー・システムは有利である。何故なら、これは音響ドライバーを隠しかつ音響ドライバーが損傷しないように保護するためである。
【００１２】
図３Ａ〜図３Ｃは、音響ドライバー１２の別の形状構成も図示する。図３Ａの実施形態では、音響ドライバー１２の放射表面の中心がカバー部材の幾何学的中心に面するように、該音響ドライバー１２は位置づけられる。図３Ｂの実施形態では、音響ドライバー１２の放射表面の中心がカバー部材の幾何学的中心に面しないように音響ドライバーが位置するように音響ドライバー１２は位置づけられる。図３Ｃの実施形態では、１つ以上の音響ドライバーが存在する。また、２つの音響ドライバーの放射表面はカバー部材の境界に対して非対称に位置づけられる。多数の音響ドライバーを含む実施形態では、ドライバーは、図示するように、等価にし得るか、あるいは異なるものとし得る。図３Ｄに示すように、細長いカバー部材又は細長い幅狭開口の何れかと共に、直線配列を構成するようになされた幾つかの音響ドライバーが存在し得る。図１Ａ〜図１Ｃのピエゾラジエーター２０のような１つ以上の圧電式ラジエーターはこれらの別の実施形態にも存在し得るが、これらの図には図示していない。
【００１３】
幅狭開口３０は多くの形態及び寸法を呈し得る。幅狭開口は図３Ａ〜図３Ｄの実施形態のように、平行な側辺と実質的に直線とし得るが、幅狭開口は彎曲させ得るものでありかつ非平行とし得る。１つ以上の開口となし得るが、図３Ｃように、１つ以上の開口を不連続となし得る。１つの端縁にのみ幅狭開口を具備する、図３Ａの実施形態の開口、あるいは図１Ａ〜図１Ｃによる実施形態の開口のような実質的に直線幅狭開口は、これらの開口が高周波くし形フィルタリングを受けにくいから有利となし得る。開口は、側部、頂部、底部、あるいは頂部、側部、及び底部の或る組み合わせとし得る。
【００１４】
図４を参照すると、カバー部材１６の別様の形状が示されている。形状は、円又は楕円のような非矩形、あるいは不規則とし得る。カバー部材１６の形状及び音響ドライバー１２の配置は、音響又は表面的な考慮に基づき得る。通常、音響ドライバーの軸線がカバー部材に直角でありかつ幾何学的中心でカバー部材に交差するような（円のような）規則的形状カバー部材及び音響ドライバーの配置は、一般的に、軸線上での「光束」及びラウドスピーカー・システムから軸線ずれした位置でより均一な周波数応答パターンに帰着する。通常、音響ドライバーの放射表面の中心がカバー部材の幾何学的中心以外の点で該カバー部材に面するような不規則形状カバー部材、音響ドライバーの配置、あるいは音響ドライバーの軸線がカバー部材に直角でないか、あるいはこれらの幾つかの組合せは、重大でない周波数応答偏差に帰着する。圧電ラジエーター２０は、この別様の実施形態にも存在し得るがこの図には示していない。圧電ラジエーターが存在する場合、カバー部材１６の形状は圧電ラジエーターの周波数応答パターンにも影響を及ぼす。
【００１５】
図５を参照するとカバー部材の変形態様が示されている。、音響ドライバーに面するカバー部材１６の表面は、突起３１又はバッフル・システムを有し得る。突起３１はカバー部材の内面から延在し得るものでありかつ突起の表面が、定在波及びエンクロージャー１４内の他の音響的偏差を減じる要素として働くように形状づけられ、寸法づけられ、及び位置づけられる。突起３１の表面は、音響ドライバー１２の放射表面と実質的に平行とし得るか、又はラウドスピーカー・システムの周波数応答パターンを滑らかにする幾つかの他の形状を有し得る。突起は、エンクロージャー１４内の定在波及び他の音響偏差を減じる、音響要素（例えば、位相プラグ、ディフューザ、流れ指導子、あるいは音響ロード変調器）として働き得る。図１Ａ〜図１Cの圧電ラジエーター２０は、この実施形態にも存在し得るが、この図には示していない。
【００１６】
上述図の何れかは、エンクロージャーが壁内又は壁上取付に代わる慣用のスタンド・アロン・エンクロージャーであるように形状づけ得る。ラウドスピーカー・システムの前部表面は、望ましくない鉄格子から完全に又は実質的に解放し得るものでありかつラウドスピーカー・システム・キャビネットの前部表面が周囲にあるものと混ざり合うようになし得るか、あるいはラウドスピーカー・システムが家具アクセサリーとしての役割を果たすことを可能にする要素の取付点として、ラウドスピーカー・システムの音響特性に影響を及ぼさずに使用し得る。本発明によるラウドスピーカー・システムは、携帯機器にも装備し得る。本発明によるラウドスピーカー・システムは、カバー部材がラウドスピーカー・システムの頂部又は底部にあるようにも形状づけ得る。
【００１７】
さらに、上述図の実施形態の何れかは、本発明の要素の１つとして、壁、天井、あるいは床の要素を使用し得る。例えば、壁空洞は後部ボリュームとして使用し得るし、あるいはカバー部材は、壁、天井、あるいは床に直に取り付け得る。
【００１８】
図６を参照すると、本発明の他の実施形態が示されている。図６の実施形態は、図１Ａ〜図１Ｃの要素を含む。カバー部材１６を隠すために、装着された塗装のような壁掛け４０、あるいは装飾要素を機械的に連結し得るように、カバー部材１６はも形状づけられる。ねじ又はボルトのようなファスナーの使用によって、接着剤によって、あるいは壁掛け４０の背面の針金又は掛けブラケットフックを具備するカバー部材上の画像掛け金具によって機械的連結を行い得る。他の実施形態では、エンクロージャー１４に機械的に直に壁掛け４０を連結し得るように、あるいは壁掛けを機械的に壁に連結及び該壁から間隔を置いて配置し得るように、要素は形状づけ得る。別の形状構成では、カバー部材は存在せずかつ適切な隆起部及びコネクターは、壁掛け４０がカバー部材として働くように設けらる。
【００１９】
ここで、図７Ａ〜図７Ｃを参照すると、本発明によるラウドスピーカー・システムの実際的な実施例が示されている。図７Ａはラウドスピーカー・システムの等角図でありかつ前面及び側面図を示し、及び本発明の実施形態の詳細及び本発明の変形態様を示すカバー部材の側面図を示す。図７Ａ〜図７Ｃの参照符号は、他の図面の対応して参照符号が付された要素の実施形態を指す。等角図では、カバー部材は透明になされかつラウドスピーカー・システムの内部構造をより明瞭に示すように破線で示されている。
【００２０】
約０．３インチ（０．７６ｃｍ）の幅狭間隙は隆起部３０によって維持される。隆起部は、カバー部材をエンクロージャーに機械的に連結するために、長手方向に直角に変形可能な部材３２を、エンクロージャーの表面に対して張力で保持せしめる。
【００２１】
エンクロージャー１４及びカバー部材１６はプラスチックとし得る。音響ドライバー１２は、独立したウーファー又はサブウーファー要素を具備するオーディオ・システム内で高周波音響エネルギーを放射するのに適した２インチ（５ｃｍ）のコーンタイプの音響ドライバーとし得る。他の実施形態では、音響ドライバーは、異なる音響のドライバーを採用することにより、付加的な音響ドライバーを採用することにより、 エンクロージャーの寸法を変更することにより、あるいは他の音響的技術を採用することにより、フルレンジの音響エネルギーを放射するのに適したものとし得る。
【００２２】
図７Ｂは、ラウドスピーカー・システムの部分的に単純化された断面、部分的に単純化された平面図を示す。音響ドライバー１２Ａ及び１２Ｂは外向きに角度が付されており、その結果、音響ドライバーの運動軸線４２及び４４の少なくとも１つが長手方向に直角でない角度、例えば約２５度でカバー部材１６と交差する。そして、その結果、前記音響ドライバーの放射表面上にありかつカバー部材に対する軸線から等距離にある点からの（ｄ１及びｄ２のような）距離は異なる。図７Ａ〜図７Ｃの実施形態は、後部ボリューム２６（この図では図示せず）を音響的に連結する音響ポート５２、及びラウドスピーカー・システムの出力を増加させるリスニング空間も含む。
【００２３】
本発明によるラウドスピーカー・システムは、固定又は可変等化パターンを有する製造業者によって等価し得る。単純化及び等価回路のコストには、周波数応答の差が１０ｄｂより小さいことが望ましい。音響ドライバーを外向きに角度づけることは、望ましい範囲内で周波数応答の差を維持する支援をする。所望範囲内の周波数応答の差を維持する支援をし得る更なる技術は、図７Ｃに示されている。カバー部材１６は減衰材料４６で被覆し得る。あるいはカバー部材は、２つの薄いプラスチック又は薄い金属層５０間の減衰材料４８のような高減衰材料として構成し得る。音響ドライバーの片方又は両方が、エンクロージャーの他側よりも該エンクロージャーの一側に近接して位置づけられるように、音響ドライバーを配置し得る。
【００２４】
更に部屋特有な特性周波数応答偏差は、幅狭開口と、周囲の壁、近くの物体、あるいは他の部屋に特有な特性との相互作用によって生じ得る。これは、壁掛け４０の要素及び寸法が設置前に知リ得ない図６、あるいはエンクロージャー１４の寸法特性が設置前に知り得ない図２Ｄのような、及び同一の設置において、設置から設置まで及びカウドスピーカー・システムからカウドスピーカー・システムまで極めて変わり得る実施形態に特に当てはまる。したがって、本発明によるラウドスピーカー・システムの周波数応答パターンは、適応性のある等価器によって特に改善し得る。
【００２５】
ここで図８を参照すると、本発明を含むオーディオ・システムが示されている。オーディオ信号源１１０は、クロスオーバー・サーキット１２４を含み得るオーディオ信号処理回路１１２に接続される。オーディオ信号処理回路１１２は、順番に、ラウドスピーカー・システム１１及び１０−１〜１０−５に接続される。ラウドスピーカー・システム１０−１〜１０−５の１つ以上は、上述図のラウドスピーカー・システムに従うラウドスピーカー・システムとし得る。マイクロホン装置１１６は、音響測定回路１１９、等化計算回路１１８及びメモリ１２０に順番に接続される。等化計算回路１１８はマイクロプロセッサー１２６を含み得るものであり、オーディオ信号処理回路１１２に接続し得るものであり、及び随意の遠隔操作装置１２２とメモリ１２０に接続し得る。
【００２６】
オーディオ信号源１１０は、ラジオのようなアナログオーディオ信号、又は、好ましくは、ＣＤプレーヤのようなデジタルエンコード処理されたオーディオ信号源、ＤＶＤ又はオーディオＤＶＤプレーヤ、あるいは「ウェブ・ラジオ」トランスミッションのようなデジタルエンコード処理されたオーデュオ信号又はらんだむ・アクセス・メモリーのコンパクトディスク、コンピューター・ハードディスク又は他のものの何れかとし得る。オーディオ信号処理回路１１２は、その後にラウドスピーカー・システム１１及び１０−１〜１０−５によって音響エネルギーに変換されるエンコードされたオーディオ信号を処理するために、これらはディジタル及びアナログ成分の両方及びＤＡ変換器、アンプ及びび他のものを含み得る従来のオーディオ信号処理素子を含み得る。オーディオ信号処理回路１１２は、多重チャネル内にオーディオ信号をデコードするための回路を含み得るし、等化計算回路１１８によって展開された等化パターンを実行することによって、オーディオ・システムの周波数応答を修正し得る低潜在性無限インパルス応答型フィルター（ＩＩＲｓ）のような回路素子をさらに含み得る。ラウドスピーカー・システム１１のようなラウドスピーカー・システムの１つをサブウーファー・ラウドスピーカー・システムとなし得るように、オーディオ信号処理回路１１２は更にクロスオーバー回路を含み得る。別様に、ラウドスピーカー・システム１０−１〜１０−５は低周波ラウドスピーカー・システム１１及びクロスオーバー回路の必要性を除去したフルレンジ・ラウドスピーカー・システムとし得る。あるいはクロスオーバー回路がラウドスピーカー・システム１０−１〜１０−５にあり得る低及び高周波数音響ドライバーの両方とし得る。また別の変更態様では、特に圧電ラジエーターが使用される場合、オーディオ信号処理回路１１２及びラウドスピーカー・システム１０−１〜１０−５は両方とも、１つ以上のクロスオーバー周波数を有するクロスオーバー回路を含み得る。説明の単純化のために、本発明は、単一のクロスオーバー周波数を有するオーディオ信号処理装置回路１１２のクロスオーバー回路１２４と共に、サブウーファー・ラウドスピーカー・システム、複数の高周波ラウドスピーカー・システムで説明される。マイクロホン１１６は従来のマイクロホンとし得る。音響測定回路は、マイクロホン１１６から入力を受け取りかつマイクロホン入力から周波数応答パターンを測定するための要素を含み得る。等化計算回路１１８は、マイクロホン装置１１６からディジタル信号を受け取り、かつ周波数応答パターンを展開するためにマイクロプロセッサー１２６及び他のディジタル信号処理素子を含み得るものである、周波数応答パターンを所望の周波数応答パターンと比較し、等化パターンを展開し得る。マイクロホン装置１１６によって検出された周波数応答パターンと組み合わされた回路は、ラウドスピーカー・システム１１及び１０−１〜１０−５に所望の周波数応答パターンを放射させる。等価パターンはマイクロプロセッサー１２６上で走るソフトウェアプログラムによって恐らく計算された。ソフトウェアプログラムはメモリ１２０に格納し得るものであり、ＣＤプレーヤーとして実行されたデジタル・オーディオ信号源１１０上で再生するコンパクトディスクからロードし得るか、あるいはインターネット・リンク、コンピューター、遠隔デジタルストレージ装置又は別のオーディオ装置とし得る、遠隔操作装置１２２から伝え得る。あるいは、オプションの遠隔操作装置１２２は、ソフトウェアプログラムを実行し、等化計算回路類１１８に情報を伝えるコンピューターとし得る。メモリ１２０は従来のランダム・アクセス・メモリーとし得る。図１のオーディオ・システムは、テレビ又はプロジェクター及びスクリーンのようなビデオ装置を含むホームシアター・システムの要素とし得る。
【００２７】
１つの運用上の方法では、テストオーディオノイズ又はオーディオ波形は、オーディオ信号源１１０のチャネルのオーディオ信号に反応して放射し得る。あるいは、オーディオ信号源はメモリ１２０に格納された情報に基づき得るか、又はマイクロプロセッサー１２６によって実行された計算機命令によって生成し得る。オーディオ信号処理回路１１２及びラウドスピーカー・システム１１及び１０−１〜１０−５は、テストオーディオ信号をラウドスピーカー・システム１１及び１０−１〜１０−５が、ラウドスピーカー・システムの成分の相互作用から周波数応答パターンを作成し、ラウドスピーカー・システムを備えた部屋の相互作用に起因して配置される部屋内に放射される音響エネルギーに伝える。マイクロホン装置１１６によって検出された音響エネルギーは、音響測定回路１１９に電気的な形態で送信される。音響測定回路１１９は周波数応答パターンを測定して、メモリ１２０に周波数応答パターンを格納する。等化計算回路１１８は所望周波数応答パターンを達成するのに適切な等化パターンを計算し、メモリ１２０に計算された等化パターンを格納する。その後、オーディオ信号処理回路１１２がオーディオ信号源１１０からオーディオ信号を受け取る場合、等化パターンは、音響エネルギーに変換するためにラウドスピーカー・システム１１及び１０−１〜１０−５に送信されたオーディオ信号に等化パターンを適用する、メモリ１２０からオーディオ信号処理回路１１２に送信される。幾つかの実施形態では、オーディオ信号処理回路１１２は、等化計算回路類１１８及び音響測定回路１１９と同様に、ディジタル信号処理チップのような幾つかの素子を含み得る。別の実施形態では、オーディオ信号処理回路１１２、音響測定回路１１９及び等化計算回路類１１８の部分は、いわゆる「ヘッド・ユニット」（すなわち、チューナーような信号源又はＣＤプレーヤー、外部信号源への接続、又は両方を含む装置）にあり得る。そして源選択及びボリュームのような制御装置が設置され、また、他の部分は、サブウーファー・ユニットのようなラウドスピーカー・システム１１及び１０−１〜１０−５にあるか、あるいはラウドスピーカー・システム１１と１０−１  １０−５の中に分配し得る。ラウドスピーカー・システムに特有のオーディオ信号処理回路１１２及び等化計算回路１１８の部分がラウドスピーカー・システムの１つにある一方で、この実行は様々なラウドスピーカー・システムと共に使用し得るヘッド・ユニットを容易にする。
【００２８】
図８は、２００２年３月２５日に出願され、かつ付録Ａとして添付した特定の適応性のある等価器を説明する。しかしながら、適応性のある等価器の幅広い領域を使用し得る。
【００２９】
壁及び近くの物体を持った、スピーカー及び相互作用の形状構成により、さもなくば、変則の周波数応答パターンを有するラウドスピーカー・システムから所望の周波数応答パターンを作ることができるので、図８のオーディオ・システムに従うオーディオ・システムは有利である。壁掛けが有効にラウドスピーカー・システムの一部であるため、システムは、特に図６のラウドスピーカー・システムのようなラウドスピーカー・システムを備えて特に有用である。寸法、形状、及び物理的と音響効果が設置前に知られていないため、設置前に行なわれた等化は、所望の周波数応答パターンに帰着し得ない。図８によるシステムは、ラウドスピーカー・システムの異なる数及び組合せが上述した図に説明されたタイプとし得るオーディオ・システムを備えると特に有用である。何故なら、ラウドスピーカー・システムの異なる組合せがそれぞれ異なるシステム等価を要求するためである。図８によるオーディオ・システムは、ラウドスピーカー・システム自体の特性に起因する周波数応答パターン偏差、及び、それらが置かれる特定の部屋を備えたラウドスピーカー・システムの相互作用に起因する周波数応答パターン偏差を修正する態様で消費者によって等価し得る。
【００３０】
当業者が、本願発明思想から逸脱せずに本願明細書に開示された特定の装置及び技術からの多数の用途及び新たな試みを行い得ることは明白である。従って、本発明は、本願明細書に開示されかつ特許請求の範囲のみによって限定される全てが新規な特徴及び新規な組合せた特徴の各々を含むものとして解釈されるべきである。
【図面の簡単な説明】
【００３１】
【図１Ａ】本発明によるラウドスピーカー・システムの単純化された側断面図である。
【図１Ｂ】本発明によるラウドスピーカー・システムの単純化された平面図である。
【図１Ｃ】単純化された正面図である。
【図２Ａ】本発明によるラウドスピーカー・システムの側断面図である。
【図２Ｂ】本発明によるラウドスピーカー・システムの側断面図である。
【図２Ｃ】本発明によるラウドスピーカー・システムの側断面図である。
【図２Ｄ】本発明によるラウドスピーカー・システムの側断面図である。
【図２Ｅ】本発明によるラウドスピーカー・システムの側断面図である。
【図３Ａ】本発明によるラウドスピーカー・システムのカバー部材の別の実施形態の簡素化された正面図である。
【図３Ｂ】本発明によるラウドスピーカー・システムのカバー部材の別の実施形態の簡素化された正面図である。
【図３Ｃ】本発明によるラウドスピーカー・システムのカバー部材の別の実施形態の簡素化された正面図である。
【図３Ｄ】本発明によるラウドスピーカー・システムのカバー部材の別の実施形態の簡素化された正面図である。
【図４】本発明によるラウドスピーカー・システムのカバー部材の別の実施形態の正面図である。
【図５】本発明によるラウドスピーカー・システムのカバー部材の付加的随意な構成の側断面図である。
【図６】本発明によるラウドスピーカー・システムの別の持し形態の側断面図である。
【図７】本発明の実際の手段の視図である。
【図８】本発明を用いた可聴システムのブロック線図である。
【符号の説明】
【００３２】
１０  ラウドスピーカ・システム
１０−１〜１０−５  ラウドスピーカ・システム
１１  ラウドスピーカ・システム
１２  音響ドライバー
１４  エンクロージャー
１６  カバー部材
１８  幅狭間隙
２０  圧電ラジエータ
２１  バッフル
２２  フランジ部分
２６  後部ボリューム
２８  前部ボリューム
３０  幅狭開口
３１  突起
４０  壁掛け
４２、４４  運動軸線
４６、４８  減衰材料
５０  金属層
５２  ポート
１１０  オーディオ信号源
１１２  オーディオ信号処理回路
１１６  マイクロホン装置
１１８  等価計算回路
１１９  音響測定回路
１２０  メモリ
１２２  遠隔操作装置
１２４  クロスオーバー回路
１２６  マイクロピロセッサー
【図１Ａ】
2004304810.tif 000003
【図１Ｂ】
2004304810.tif 000004
【図１Ｃ】
2004304810.tif 000005
【図２Ａ】
2004304810.tif 000006
【図２Ｂ】
2004304810.tif 000007
【図２Ｃ】
2004304810.tif 000008
【図２Ｄ】
2004304810.tif 000009
【図２Ｅ】
2004304810.tif 000010
【図３Ａ】
2004304810.tif 000011
【図３Ｂ】
2004304810.tif 000012
【図３Ｃ】
2004304810.tif 000013
【図３Ｄ】
2004304810.tif 000014
【図４】
2004304810.tif 000015
【図５】
2004304810.tif 000016
【図６】
2004304810.tif 000017
【図７】
2004304810.tif 000018
【図８】
2004304810.tif 000019